(57)【要約】【課題】立体表示を高品位に行うことができる表示装置を提供する。【解決手段】情報を表示可能に構成された第１の液晶表示装置（第１の表示部）２と、情報を表示可能に構成されるとともに、第１の液晶表示装置２に対して所定の角度範囲内の角度で設けられた第２の液晶表示装置（第２の表示部）３と、第１の液晶表示装置２で表示されている情報の通過を許容するように設けられるとともに、第１の液晶表示装置２で表示されている情報の表示方向側に第２の液晶表示装置３で表示されている情報を反射する反射部材４とを備える。【選択図】図１
2010032874.tif 000002
【特許請求の範囲】
【請求項１】
情報を表示可能に構成された第１の表示部と、
情報を表示可能に構成されるとともに、前記第１の表示部に対して所定の角度範囲内の角度で設けられた第２の表示部と、
前記第１の表示部で表示されている情報の通過を許容するように設けられるとともに、前記第１の表示部で表示されている情報の表示方向側に前記第２の表示部で表示されている情報を反射する反射部材と
を備えている表示装置。
【請求項２】
入力された映像信号を用いて、前記第１及び第２の各表示部の駆動制御を行う表示制御部を備えるとともに、
前記表示制御部は、第２の表示部をオン／オフ制御することにより、前記第１の表示部に表示されている情報による通常表示と、前記第１及び第２の各表示部に表示されている情報の組み合わせによる立体表示とを切り替える請求項１に記載の表示装置。
【請求項３】
前記第１及び第２の各表示部には、液晶パネルが含まれている請求項１または２に記載の表示装置。
【請求項４】
前記反射部材は、前記第１の表示部の表示面を覆うように当該表示面と平行に設けられるとともに、
前記反射部材には、７５％以上の透過率を有し、前記第２の表示部の表示面に対向する表面の反射率が５％以上のものが用いられている請求項１〜３のいずれかに記載の表示装置。
【請求項５】
前記反射部材は、前記第１の表示部に含まれた液晶パネル内の偏光板である請求項３に記載の表示装置。
【請求項６】
前記偏光板には、５％以下のヘイズ値のものが用いられている請求項５に記載の表示装置。
【請求項７】
前記第２の表示部の表示面は、前記第１の表示部の表示面よりも大きいサイズに設定されている請求項１〜６のいずれか１項に記載の表示装置。
【請求項８】
前記第１及び第２の表示部は、互いに傾動可能に設けられている請求項１〜７のいずれか１項に記載の表示装置。
【発明の詳細な説明】
【技術分野】
【０００１】
本発明は、文字や画像等の情報を表示する表示装置、特に情報を立体的に表示可能に構成された表示装置に関する。
【背景技術】
【０００２】
近年、表示装置では、文字や画像等の情報を立体的（３次元的）に表示可能なものが開発され、実用化されている。
【０００３】
上記のような従来の表示装置には、例えば下記特許文献１に記載されているように、第１及び第２の液晶表示板を互いに当接した状態で、ハウジングの内部に設けて、これら２つの液晶表示板に異なる情報を表示させるものが提案されている。また、この従来の表示装置では、上記ハウジングに対して所定の角度で設けられた別のハウジングに鏡を設置して、当該鏡に上記２つの各液晶表示板で表示されている情報を映し出すことが示されている。そして、この従来の表示装置では、ユーザが液晶表示板を直接視認することなく、鏡に映し出された情報を視認することにより、情報を立体的に表示させつつ、その情報を明るく表示できるとされていた。
【特許文献１】実開昭５８−５１７８３号公報
【発明の開示】
【発明が解決しようとする課題】
【０００４】
しかしながら、上記のような従来の表示装置では、第１及び第２の液晶表示板（表示部）を互いに当接した状態で設けていたので、これらの各液晶表示板によって表示されている情報に奥行き感を与えることは困難であった。このため、従来の表示装置では、立体表示を高品位に行うことが難しいという問題点があった。
【０００５】
上記の課題を鑑み、本発明は、立体表示を高品位に行うことができる表示装置を提供することを目的とする。
【課題を解決するための手段】
【０００６】
上記の目的を達成するために、本発明にかかる表示装置は、情報を表示可能に構成された第１の表示部と、
情報を表示可能に構成されるとともに、前記第１の表示部に対して所定の角度範囲内の角度で設けられた第２の表示部と、
前記第１の表示部で表示されている情報の通過を許容するように設けられるとともに、前記第１の表示部で表示されている情報の表示方向側に前記第２の表示部で表示されている情報を反射する反射部材とを備えていることを特徴とするものである。
【０００７】
上記のように構成された表示装置では、反射部材が第１の表示部で表示されている情報の通過を許容するように設けられている。また、この反射部材は、第１の表示部で表示されている情報の表示方向側に第２の表示部で表示されている情報を反射するように構成されている。これにより、第２の表示部に表示されている情報に対して、奥行き感を付与することができる。この結果、上記従来例と異なり、立体表示を高品位に行うことができる表示装置を構成することができる。
【０００８】
また、上記表示装置において、入力された映像信号を用いて、前記第１及び第２の各表示部の駆動制御を行う表示制御部を備えるとともに、
前記表示制御部は、第２の表示部をオン／オフ制御することにより、前記第１の表示部に表示されている情報による通常表示と、前記第１及び第２の各表示部に表示されている情報の組み合わせによる立体表示とを切り替えることが好ましい。
【０００９】
この場合、表示制御部が上記通常表示と立体表示とを切り替えて、情報の適切な表示を容易に行うことができる。
【００１０】
また、上記表示装置において、前記第１及び第２の各表示部には、液晶パネルが含まれていることが好ましい。
【００１１】
この場合、第１及び第の各表示部の小型軽量化を容易に図ることができ、コンパクトな表示装置を容易に構成することができる。
【００１２】
また、上記表示装置において、前記反射部材は、前記第１の表示部の表示面を覆うように当該表示面と平行に設けられるとともに、
前記反射部材には、７５％以上の透過率を有し、前記第２の表示部の表示面に対向する表面の反射率が５％以上のものが用いられてもよい。
【００１３】
この場合、第１の表示部に表示されている情報を確実に通過させて視認させることが可能となるとともに、第２の表示部に表示されている情報を確実に反射して視認させることができる。
【００１４】
また、上記表示装置において、前記反射部材は、前記第１の表示部に含まれた液晶パネル内の偏光板であってもよい。
【００１５】
この場合、反射部材と偏光板とが兼用されるので、表示装置の部品点数を削減することができる。
【００１６】
また、上記表示装置において、前記偏光板には、５％以下のヘイズ値のものが用いられていることが好ましい。
【００１７】
この場合、第１の表示部に表示されている情報を確実に通過させて視認させることができる。
【００１８】
また、上記表示装置において、前記第２の表示部の表示面は、前記第１の表示部の表示面よりも大きいサイズに設定されていることが好ましい。
【００１９】
この場合、第１の表示部に表示されている情報に対して、第２の表示部に表示されている情報を確実に重ね合わせることができる。
【００２０】
また、上記表示装置において、前記第１及び第２の表示部は、互いに傾動可能に設けられていることが好ましい。
【００２１】
この場合、高品位な立体表示を容易に行うことができる。
【発明の効果】
【００２２】
本発明によれば、立体表示を高品位に行うことができる表示装置を提供することが可能となる。
【発明を実施するための最良の形態】
【００２３】
以下、本発明の表示装置の好ましい実施形態について、図面を参照しながら説明する。なお、各図中の構成部材の寸法は、実際の構成部材の寸法及び各構成部材の寸法比率等を忠実に表したものではない。
【００２４】
［第１の実施形態］
図１は、本発明の第１の実施形態にかかる表示装置を説明する図である。図において、本実施形態の表示装置１は、第１の表示部としての第１の液晶表示装置２と、第２の表示部としての第２の液晶表示装置３とを備えている。また、表示装置１には、第１の液晶表示装置２の表示面２Ａを覆うように、当該表示面２Ａと平行に設けられた反射部材４が設置されている。そして、表示装置１では、後に詳述するように、第１及び第２の各液晶表示装置２、３で表示されている情報を互いに重ね合わせて、ユーザに視認させることができるようになっている。
【００２５】
ここで、図２〜図４を用いて、第１及び第２の液晶表示装置２、３について具体的に説明する。
【００２６】
図２は図１に示した第１の液晶表示装置の要部構成を説明する図であり、図３は図１に示した第２の液晶表示装置の要部構成を説明する図である。図４は、上記第１及び第２の液晶表示装置の各表示面を示す平面図である。
【００２７】
図２に示すように、第１の液晶表示装置２は、液晶パネル８と、液晶パネル８の非表示面側（図２の下側）に配置されて、当該液晶パネル８を照明する照明光を発生する照明装置９とが設けられている。
【００２８】
液晶パネル８は、一対の基板を構成するＣＦ（Color Filter）基板１０及びアレイ基板１１と、ＣＦ基板１０及びアレイ基板１１の各外側表面にそれぞれ設けられた偏光板１２、１３とを備えている。ＣＦ基板１０とアレイ基板１１との間には、図示を省略した液晶層が狭持されている。偏光板１２、１３は、液晶パネル８の有効表示領域（つまり、上記表示面２Ａ）を少なくとも覆うように対応するＣＦ基板１０またはアレイ基板１１に貼り合わせられている。また、偏光板１２の上方には、反射部材４が所定の距離をおいて当該偏光板１２を覆うように平行に設けられている。
【００２９】
また、ＣＦ基板１０及びアレイ基板１１には、平板状のアクリル樹脂などの透明な合成樹脂あるいは透明なガラス材が使用されている。また、アレイ基板１１は、上記一対の基板の一方の基板を構成するものであり、アレイ基板１１では、液晶パネル８の表示面に含まれる複数の画素に応じて、画素電極やＴＦＴ（Thin Film Transistor）などが上記液晶層との間に形成されている（図示せず）。一方、ＣＦ基板１０は、一対の基板の他方の基板を構成するものであり、ＣＦ基板１０には、カラーフィルタや対向電極などが上記液晶層との間に形成されている（図示せず）。
【００３０】
また、液晶パネル８では、当該液晶パネル８の駆動制御を行う後述の制御部に接続されたＦＰＣ（Flexible Printed Circuit）１４が設けられており、上記液晶層を画素単位に動作することで液晶パネル８の表示面を画素単位に駆動して、当該表示面上に所望画像を表示するようになっている。
【００３１】
照明装置９は、エッジライト型であり、光源としての冷陰極蛍光管１５と、冷陰極蛍光管１５に対向して配置された導光板１６とを備えている。また、照明装置９では、断面Ｌ字状のベゼル２０により、導光板１６の上方に液晶パネル８が設置された状態で、冷陰極蛍光管１５及び導光板１６が狭持されている。また、ＣＦ基板１０には、ケース１７が載置されている。これにより、照明装置９は、液晶パネル８に組み付けられて、当該照明装置９からの照明光が液晶パネル８に入射される透過型の液晶表示装置２として一体化されている。
【００３２】
導光板１６には、例えば透明なアクリル樹脂などの合成樹脂が用いられており、冷陰極蛍光管１５からの光が入光される。導光板１６の液晶パネル８と反対側（対向面側）には、反射シート１８が設置されている。また、導光板１６の液晶パネル８側（発光面側）には、レンズシートや拡散シートなどの光学シート１９が設けられており、導光板１６の内部を所定の導光方向（図２の左側から右側への方向）に導かれた冷陰極蛍光管１５からの光が均一な輝度をもつ平面状の上記照明光に変えられて液晶パネル８に与えられる。
【００３３】
また、図３に示すように、第２の液晶表示装置３は、第１の液晶表示装置２と同様に、液晶パネル２１と、液晶パネル２１の非表示面側（図３の下側）に配置されて、当該液晶パネル２１を照明する照明光を発生する照明装置２２とが設けられている。
【００３４】
液晶パネル２１は、一対の基板を構成するＣＦ（Color Filter）基板２３及びアレイ基板２４と、ＣＦ基板２３及びアレイ基板２４の各外側表面にそれぞれ設けられた偏光板２５、２６とを備えている。ＣＦ基板２３とアレイ基板２４との間には、図示を省略した液晶層が狭持されている。偏光板２５、２６は、液晶パネル２１の有効表示領域（つまり、上記表示面３Ａ）を少なくとも覆うように対応するＣＦ基板２３またはアレイ基板２４に貼り合わせられている。
【００３５】
また、ＣＦ基板２３及びアレイ基板２４には、平板状のアクリル樹脂などの透明な合成樹脂あるいは透明なガラス材が使用されている。また、アレイ基板２４は、上記一対の基板の一方の基板を構成するものであり、アレイ基板２４では、液晶パネル２１の表示面に含まれる複数の画素に応じて、画素電極やＴＦＴ（Thin Film Transistor）などが上記液晶層との間に形成されている（図示せず）。一方、ＣＦ基板２５は、一対の基板の他方の基板を構成するものであり、ＣＦ基板２５には、カラーフィルタや対向電極などが上記液晶層との間に形成されている（図示せず）。
【００３６】
また、液晶パネル２１では、当該液晶パネル２１の駆動制御を行う後述の制御部に接続されたＦＰＣ（Flexible Printed Circuit）２７が設けられており、上記液晶層を画素単位に動作することで液晶パネル２１の表示面を画素単位に駆動して、当該表示面上に所望画像を表示するようになっている。
【００３７】
照明装置２２は、エッジライト型であり、光源としての冷陰極蛍光管２８と、冷陰極蛍光管２８に対向して配置された導光板２９とを備えている。また、照明装置２２では、断面Ｌ字状のベゼル３３により、導光板２９の上方に液晶パネル２１が設置された状態で、冷陰極蛍光管２８及び導光板２９が狭持されている。また、ＣＦ基板２３には、ケース３０が載置されている。これにより、照明装置２２は、液晶パネル２１に組み付けられて、当該照明装置２２からの照明光が液晶パネル２１に入射される透過型の液晶表示装置３として一体化されている。
【００３８】
導光板２９には、例えば透明なアクリル樹脂などの合成樹脂が用いられており、冷陰極蛍光管２８からの光が入光される。導光板２９の液晶パネル２１と反対側（対向面側）には、反射シート３１が設置されている。また、導光板２９の液晶パネル２１側（発光面側）には、レンズシートや拡散シートなどの光学シート３２が設けられており、導光板２９の内部を所定の導光方向（図３の左側から右側への方向）に導かれた冷陰極蛍光管２８からの光が均一な輝度をもつ平面状の上記照明光に変えられて液晶パネル２１に与えられる。
【００３９】
また、第１及び第２の液晶表示装置２、３では、図４に示すように、第２の液晶表示装置３の表示面３Ａが第１の液晶表示装置２の表示面２Ａよりも大きいサイズに構成されている。これにより、本実施形態の表示装置１では、第１の液晶表示装置２に表示されている情報に対して、第２の液晶表示装置３に表示されている情報を確実に重ね合わせることができるようになっている。
【００４０】
図１に戻って、本実施形態の表示装置１では、第１及び第２の液晶表示装置２、３が互いに傾動可能に設けられている。すなわち、これらの液晶表示装置２、３は、図示を省略した連結機構を介して連結されており、第１及び第２の液晶表示装置２、３は、第１の液晶表示装置２と反射部材４とが所定の距離を保たれた状態で、相対的な角度を変更可能に構成されている。具体的にいえば、第１及び第２の液晶表示装置２、３では、それらの表示面２Ａと表示面３Ａとの相対的な角度θが略０度〜略１８０度の範囲内の角度となるように、互いに傾動できるように構成されている。つまり、第１及び第２の液晶表示装置２、３では、表示面３Ａと表示面２Ａ及び反射部材４とがほぼ密接する状態から、表示面２Ａ及び表示面３Ａがほぼ平行な状態まで変形可能に構成されている。
【００４１】
また、反射部材４は、第１の液晶表示装置２で表示されている情報の通過を許容するように設けられるとともに、第１の液晶表示装置２で表示されている情報の表示方向側に第２の液晶表示装置３で表示されている情報を反射するようになっている。すなわち、本実施形態の表示装置１では、第２の液晶表示装置３が第１の液晶表示装置２に対して所定の角度範囲（例えば、３０度以上９０度未満）内の角度（例えば、３０度）で設けられたときに、第１及び第２の各液晶表示装置２、３で表示されている情報を互いに重ね合わせて、ユーザに視認させることができるようになっている。
【００４２】
具体的にいえば、本実施形態の表示装置１では、第１の液晶表示装置２で表示されている情報は、図１の矢印ｇ１にて示すように、反射部材４を通過して、ユーザに視認される。一方、第２の液晶表示装置３で表示されている情報は、図１の矢印ｇ２にて示すように、反射部材４に向かって表示された後、当該反射部材４により、図１の矢印ｇ２’にて示すように、反射されて、ユーザに視認される。これにより、本実施形態の表示装置１では、第１及び第２の各液晶表示装置２、３で表示されている情報を重畳させ、１つの合成画像として視認させることができる。
【００４３】
また、本実施形態の表示装置１では、第２の液晶表示装置３で表示されている情報は反射部材４によって反射された後ユーザに視認されるので、第１及び第２の各液晶表示装置２、３で表示されている情報に対して、ユーザに視認されるまでに光路差を発生させることができる。すなわち、第２の液晶表示装置３で表示されている情報は、第１の液晶表示装置２で表示されている情報に比べて、ユーザに視認されるまでの距離が長くなるように構成されている。このため、本実施形態の表示装置１では、第１及び第２の各液晶表示装置２、３で表示されている情報の組み合わせによる立体表示、すなわち上記合成画像において、第２の液晶表示装置３で表示されている情報に対し十分な奥行き感を与えて、立体的な情報表示を行うことができる。
【００４４】
また、反射部材４には、７５％以上の透過率を有し、前記第２の表示部の表示面に対向する表面の反射率が５％以上の特性を有するもの、例えばガラス材やプラスチックなどの合成樹脂が用いられている。これにより、本実施形態の表示装置１では、第１の液晶表示装置２に表示されている情報を確実に通過させて視認させることが可能となるとともに、第２の液晶表示装置３に表示されている情報を確実に反射して視認させることができるようになっている。
【００４５】
また、本実施形態の表示装置１には、第１及び第２の液晶表示装置２、３の各駆動制御を統括的に行う上記制御部５が設けられている。この制御部５は、第１の表示制御部６ａ及び第２の表示制御部６ｂを有する表示制御部６と、第１の点灯制御部７ａ及び第２の点灯制御部７ｂを有する点灯制御部７を備えている。
【００４６】
表示制御部６は、外部から入力された映像信号を用いて、第１及び第２の液晶表示装置２、３に含まれた液晶パネル８、２１の駆動制御を行うようになっている。すなわち、第１及び第２の表示制御部６ａ、６ｂが、入力された映像信号を用いて、液晶パネル８、２１の駆動制御をそれぞれ行うように構成されている。
【００４７】
また、点灯制御部７は、外部から入力された調光指示信号を用いて、第１及び第２の液晶表示装置２、３に含まれた照明装置９、２２の駆動制御を行うようになっている。すなわち、第１及び第２の点灯制御部７ａ、７ｂが、入力された調光指示信号を用いて、照明装置９、２２の駆動制御をそれぞれ行うように構成されている。
【００４８】
また、制御部５では、表示制御部６は第２の液晶表示装置３の液晶パネル８をオン／オフ制御することにより、第１の液晶表示装置２に表示されている情報による通常表示と、第１及び第２の各液晶表示装置２、３に表示されている情報の組み合わせによる立体表示とを切り替えることができるように構成されている。すなわち、本実施形態の表示装置１では、制御部５は第１の液晶表示装置２をメインの表示部として機能させて、この第１の液晶表示装置２だけによる情報の表示を行わせることができる。さらに、制御部５は、第１の液晶表示装置２をサブの表示部として機能させて、第１及び第２の各液晶表示装置２、３に表示されている情報の組み合わせた情報（すなわち、立体的な情報表示を含んだ合成画像）の表示を行わせることができる。このように、本実施形態の表示装置１では、上記通常表示と立体表示とを切り替えて、情報の適切な表示を容易に行うことができる。
【００４９】
また、制御部５では、第１及び第２の液晶表示装置２、３において、それらの表示面２Ａと表示面３Ａとの相対的な角度θが９０度以上とされているときに、表示制御部６及び点灯制御部７が第１及び第２の液晶表示装置２、３をそれぞれ独立して駆動制御することにより、これらの表示面２Ａ、３Ａに、例えば相異なる２つの情報を表示させることができるようになっている。
【００５０】
以上のように構成された本実施形態の表示装置１では、反射部材４が第１の液晶表示装置（第１の表示部）２で表示されている情報の通過を許容するように設けられている。また、この反射部材４は、第１の液晶表示装置２で表示されている情報の表示方向側に第２の液晶表示装置（第２の表示部）３で表示されている情報を反射するように構成されている。これにより、本実施形態の表示装置１では、第２の液晶表示装置３に表示されている情報に対して、奥行き感を付与することができる。この結果、本実施形態では、上記従来例と異なって、立体表示を高品位に行うことができる表示装置１を構成することができる。
【００５１】
また、本実施形態の表示装置１では、第１及び第２の液晶表示装置２、３が互いに傾動可能に設けられているので、これらの各液晶表示装置２、３の表示面２Ａ、３Ａの相対的な角度を簡単に変更することができる。この結果、本実施形態の表示装置１では、高品位な立体表示を容易に行うことができる。
【００５２】
［第２の実施形態］
図５は本発明の第２の実施形態にかかる表示装置を説明する図であり、図６は図５に示した第１の液晶表示装置の要部構成を説明する図である。図において、本実施形態と上記第１の実施形態との主な相違点は、第１の液晶表示装置に含まれた液晶パネル内の偏光板を反射部材と兼用させた点である。なお、上記第１の実施形態と共通する要素については、同じ符号を付して、その重複した説明を省略する。
【００５３】
すなわち、図５に示すように、本実施形態の表示装置１では、第１の表示部としての第１の液晶表示装置２’が第２の液晶表示装置３に対して互いに傾動可能に設けられている。また、本実施形態の表示装置１では、図５の矢印ｇ２及び矢印ｇ２’にて示すように、第２の液晶表示装置３で表示されている情報は第１の液晶表示装置２’の表示面２Ａ’により、当該第１の液晶表示装置２で表示されている情報の表示方向側に反射されるよう８になっている。
【００５４】
具体的にいえば、図６において、第１の液晶表示装置２’の液晶パネル８では、偏光板３４が表示面２Ａ’側に設置されており、この偏光板３４には、第２の液晶表示装置３に表示されている情報を反射することができるものが選択されている。より具体的には、偏光板３４には、低反射処理が施されていない、クリア偏光板が使用されており、第２の液晶表示装置３に表示されている情報を確実に反射できるようになっている。また、偏光板３４には、５％以下のヘイズ値のものが用いられている。これにより、本実施形態の表示装置１では、第１の液晶表示装置２に表示されている情報を確実に通過させて視認させることができるようになっている。
【００５５】
以上の構成により、本実施形態の表示装置１では、第１の実施形態と同様な作用・効果を奏することができる。また、本実施形態では、偏光板３４が反射部材として兼用されているので、表示装置１の部品点数を削減することができる。
【００５６】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００５７】
例えば、上記の説明では、第１及び第２の各表示部に、エッジライト型の照明装置を有する透過型の液晶表示装置を用いた場合について説明したが、本発明の第１及び第２の各表示部は情報を表示可能に構成されたものであれば何等限定されない。具体的には、例えば直下型の照明装置を有する半透過型の液晶表示装置、反射型の液晶表示装置、またはプラズマディスプレイパネル、有機ＥＬ（エレクトロルミネッセンス）、あるいはＣＲＴなどを第１及び第２の各表示部に適用することができる。
【００５８】
但し、上記の各実施形態のように、第１及び第２の各表示部に液晶パネルが含まれている場合の方が、第１及び第の各表示部の小型軽量化を容易に図ることができ、コンパクトな表示装置を容易に構成することができる点で好ましい。
【産業上の利用可能性】
【００５９】
本発明は、立体表示を高品位に行うことができる表示装置に対して有用である。
【図面の簡単な説明】
【００６０】
【図１】本発明の第１の実施形態にかかる表示装置を説明する図である。
【図２】図１に示した第１の液晶表示装置の要部構成を説明する図である。
【図３】図１に示した第２の液晶表示装置の要部構成を説明する図である。
【図４】上記第１及び第２の液晶表示装置の各表示面を示す平面図である。
【図５】本発明の第２の実施形態にかかる表示装置を説明する図である。
【図６】図５に示した第１の液晶表示装置の要部構成を説明する図である。
【符号の説明】
【００６１】
１  表示装置
２、２’  第１の液晶表示装置（第１の表示部）
２Ａ、２Ａ’  表示面
３  第２の液晶表示装置（第２の表示部）
３Ａ  表示面
４  反射部材
５  制御部
６  表示制御部
７  点灯制御部
３４  偏光板（反射部材）
【図１】
2010032874.tif 000003
【図２】
2010032874.tif 000004
【図３】
2010032874.tif 000005
【図４】
2010032874.tif 000006
【図５】
2010032874.tif 000007
【図６】
2010032874.tif 000008